(57)【要約】【課題】夜間での視認性が高く、便利に使える伸縮式の合図灯を提供する。【解決手段】根元部に携帯電灯ユニット（Ｕ）を内蔵した太い固定ＦＲＰ管（Ａ）と、その固定ＦＲＰ管（Ａ）の内部へ離脱不能に差し込み嵌合された細い伸縮ＦＲＰ管（Ｂ）とから成り、その両ＦＲＰ管（Ａ）（Ｂ）の外周面に赤色の光透過シート（５ａ）（５ｂ）と白色の光反射シート（６ａ）（６ｂ）とを、交互する縞模様形態に巻き付けると共に、上記伸縮ＦＲＰ管（Ｂ）を固定ＦＲＰ管（Ａ）から引き出した伸長状態と、同じく固定ＦＲＰ管（Ａ）の内部へ押し込んだ短縮状態とを、何れも伸縮限度位置決め用ロック爪（２２）によってロックするように定めた。【選択図】図２
2010055769.tif 000002
【特許請求の範囲】
【請求項１】
一定長さの固定ＦＲＰ管と、その内部へ根元側から差し込み装填された携帯電灯ユニットと、同じく固定ＦＲＰ管の内部へ先端側から離脱不能に差し込み嵌合された伸縮ＦＲＰ管と、その伸縮ＦＲＰ管を先端側から施蓋した石突とを備え、
上記伸縮ＦＲＰ管の根元部付近へ伸縮限度位置決め用ロック爪を、その伸縮ＦＲＰ管の外周面から常時進出する弾圧付勢状態に内蔵させる一方、
同じく伸縮ＦＲＰ管を上記固定ＦＲＰ管に対して伸縮操作した時、その伸縮限度位置決め用ロック爪と択一的に係止し得る爪受け入れ口の前後一対を、上記固定ＦＲＰ管の先端部付近と根元部付近へ各々切り欠くと共に、
上記伸縮ＦＲＰ管と固定ＦＲＰ管との両外周面へ光透過シートと光反射シートとを、その何れか一方が赤色で他方が白色として、その伸縮ＦＲＰ管の短縮操作時に光透過シート同士及び光反射シート同士が対応合致することとなる位置関係での交互に巻き付け一体化して、
上記携帯電灯ユニットの白色ＬＥＤを点灯させた夜間での使用中、その光透過シートから透過する赤色又は白色と、光反射シートから反射する白色又は赤色との異なる２色を視認させるように定めたことを特徴とする伸縮式の合図灯。
【請求項２】
固定ＦＲＰ管の根元部付近と伸縮ＦＲＰ管の先端部へ、赤色の光透過シートや白色の光反射シートと別個な白色の光透過シートを巻き付け一体化したことを特徴とする請求項１記載の伸縮式の合図灯。
【請求項３】
固定ＦＲＰ管及び伸縮ＦＲＰ管を形作るＦＲＰシートプリプレグの最外層へ、光透過シートと光反射シートとを１プライづつ巻き付けると共に、
その光透過シートと光反射シートとを上記ＦＲＰシートプリプレグの加熱硬化によって融着一体化したことを特徴とする請求項１記載の伸縮式の合図灯。
【請求項４】
伸縮ＦＲＰ管の先端部を施蓋するプラグの中心部から、ネジ口筒を前向き一体に突設すると共に、
上記プラグのネジ口筒へ螺合締結したガラスクラッシャーを、そのネジ口筒へ螺合締結した石突兼用のキャップナットにより、被覆化粧したことを特徴とする請求項１記載の伸縮式の合図灯。
【請求項５】
携帯電灯ユニットに光源となる白色ＬＥＤのほか、その集光型反射鏡と乾電池を内蔵させると共に、その白色ＬＥＤの電源操作スイッチを固定ＦＲＰ管の根元部から露出させる一方、
伸縮ＦＲＰ管の先端部を施蓋するプラグの後端面へ、上記白色ＬＥＤからの光反射板を貼り付けたことを特徴とする請求項１記載の伸縮式の合図灯。
【発明の詳細な説明】
【技術分野】
【０００１】
本発明は警察官による車両の検問や交通整理を初め、作業現場の警備員による車両の指示・誘導などに便利な伸縮式の合図灯に関する。
【背景技術】
【０００２】
伸縮自在の発光フードを備えた合図灯は、実開昭６３−６１７０１号公報に記載されている。他方、棒状の発光部と光反射性の筒部とを備え、昼夜での視認性を高めた合図灯が特開２００２−２９８６０２号公報に、又パイプ状の発光フードへ相違する２色を、交互の縞模様状に形成した合図灯が実開平６−２５０１号公報に各々記載されている。
【特許文献１】実開昭６３−６１７０１号公報
【特許文献２】実開平６−２５０１号公報
【特許文献３】特開平１０−４０７０２号公報
【特許文献４】特開２００２−２９８６０２号公報
【発明の開示】
【発明が解決しようとする課題】
【０００３】
ところが、実開昭６３−６１７０１号公報に記載の合図灯では、発光フード（ｃ）の伸縮フード（ｅ）が固定フード（ｄ）から抜けないまでも、例えば合図灯を激しく振り廻すと、伸縮フード（ｅ）が不慮に張り出し伸長する一方、その伸縮フード（ｅ）を地面や壁面などに押し付けると、これが逆に没入・短縮することとなる。
【０００４】
その意味から格闘に耐える強靱な警棒や、休息時の杖などとして便利良く使用できないほか、携帯電灯（ａ）の外周面にランプ（１）のスイッチ（３）が露出しているため、ここを握り持った片手により、そのスイッチ（３）を誤操作してしまうおそれもある。
【０００５】
他方、特開２００２−２９８６０２号公報に記載の合図灯では、その使用長さを短縮できないため、携帯上不便である。又、昼間には光反射性の筒部（５）を引き伸ばして、発光体（ＬＥＤ）（３）を被覆しているが、夜間にはその光反射性の筒部（５）を把持部（４）へ押し込み収納して、これを使わず、発光体（ＬＥＤ）（３）や先端部の白熱球（３ｃ）だけの明るさで使用するようになっているため、未だ視認性に劣る。
【０００６】
それにもまして、透明樹脂の筒状ケースから成る発光部（２）に、発光体（ＬＥＤ）（３ａ）（３ｂ）（３ｃ）を電気配線しているため、乱暴な取扱いによる接触不良や、衝撃などによる破損を招きやすく、その意味からも警棒や杖として使用することができない。
【０００７】
更に、実開平６−２５０１号公報に記載された合図灯の場合、その発光フード（１２）に交互する青色と赤色とが形成されているとしても、それは特開２００２−２９８６０２号公報に記載された赤色のＬＥＤ（３ａ）及び緑色のＬＥＤ（３ｂ）と同じく、その選択した何れか１色だけを発光させるに過ぎず、その２色を同時に視認させる趣旨ではないため、未だ夜間での視認性に劣るのである。
【課題を解決するための手段】
【０００８】
本発明はこのような課題の改良を目的としており、その目的を達成するために、請求項１では伸縮式の合図灯として、一定長さの固定ＦＲＰ管と、その内部へ根元側から差し込み装填された携帯電灯ユニットと、同じく固定ＦＲＰ管の内部へ先端側から離脱不能に差し込み嵌合された伸縮ＦＲＰ管と、その伸縮ＦＲＰ管を先端側から施蓋した石突とを備え、
【０００９】
上記伸縮ＦＲＰ管の根元部付近へ伸縮限度位置決め用ロック爪を、その伸縮ＦＲＰ管の外周面から常時進出する弾圧付勢状態に内蔵させる一方、
【００１０】
同じく伸縮ＦＲＰ管を上記固定ＦＲＰ管に対して伸縮操作した時、その伸縮限度位置決め用ロック爪と択一的に係止し得る爪受け入れ口の前後一対を、上記固定ＦＲＰ管の先端部付近と根元部付近へ各々切り欠くと共に、
【００１１】
上記伸縮ＦＲＰ管と固定ＦＲＰ管との両外周面へ光透過シートと光反射シートとを、その何れか一方が赤色で他方が白色として、その伸縮ＦＲＰ管の短縮操作時に光透過シート同士及び光反射シート同士が対応合致することとなる位置関係での交互に巻き付け一体化して、
【００１２】
上記携帯電灯ユニットの白色ＬＥＤを点灯させた夜間での使用中、その光透過シートから透過する赤色又は白色と、光反射シートから反射する白色又は赤色との異なる２色を視認させるように定めたことを特徴とする。
【００１３】
又、請求項２では固定ＦＲＰ管の根元部付近と伸縮ＦＲＰ管の先端部へ、赤色の光透過シートや白色の光反射シートと別個な白色の光透過シートを巻き付け一体化したことを特徴とする。
【００１４】
請求項３では固定ＦＲＰ管及び伸縮ＦＲＰ管を形作るＦＲＰシートプリプレグの最外層へ、光透過シートと光反射シートとを１プライづつ巻き付けると共に、
【００１５】
その光透過シートと光反射シートとを上記ＦＲＰシートプリプレグの加熱硬化によって融着一体化したことを特徴とする。
【００１６】
請求項４では伸縮ＦＲＰ管の先端部を施蓋するプラグの中心部から、ネジ口筒を前向き一体に突設すると共に、
【００１７】
上記プラグのネジ口筒へ螺合締結したガラスクラッシャーを、そのネジ口筒へ螺合締結した石突兼用のキャップナットにより、被覆化粧したことを特徴とする。
【００１８】
更に、請求項５では携帯電灯ユニットに光源となる白色ＬＥＤのほか、その集光型反射鏡と乾電池を内蔵させると共に、その白色ＬＥＤの電源操作スイッチを固定ＦＲＰ管の根元部から露出させる一方、
【００１９】
伸縮ＦＲＰ管の先端部を施蓋するプラグの後端面へ、上記白色ＬＥＤからの光反射板を貼り付けたことを特徴とする。
【発明の効果】
【００２０】
請求項１の構成によれば、その合図灯の細い伸縮ＦＲＰ管を太い固定ＦＲＰ管から引き出した伸長状態と、同じく伸縮ＦＲＰ管を固定ＦＲＰ管の内部へ押し込んだ短縮状態との使い分けが可能となり、著しく便利である。
【００２１】
そして、その何れにあっても光透過シートから発光している赤色又は白色と、これと交互する配列の光反射シートが、車両からの光を受けて浮き出し反射する白色又は赤色との異なる２色により、夜間での視認性を著しく向上でき、警察官による車両の検問や交通事故処理を初め、工事現場の警備員による車両の指示・誘導などに役立つ。
【００２２】
又、上記合図灯の伸長状態と短縮状態は、何れも伸縮ＦＲＰ管の伸縮限度位置決め用ロック爪を介してロックされるようになっているため、万一乱暴に取り扱ったり、犯人との格闘に供したり、或いは杖として接地させたりしても、不慮に伸長又は短縮する危険性がなく、安心裡に使用できる効果がある。
【００２３】
特に、請求項２の構成を採用するならば、伸縮ＦＲＰ管における先端部の光透過シートから透過する白色により、夜間に伸長された使用状態の全体長さを、一目瞭然に確認することができる一方、固定ＦＲＰ管における根元部付近の光透過シートから透過する白色によって、その固定ＦＲＰ管の根元部を握り持った警察官が、夜間での車両検問中に運転免許証などをすばやく確実に視認できるのであり、利便性や対応性が著しく向上する。
【００２４】
請求項３の構成を採用するならば、固定ＦＲＰ管や伸縮ＦＲＰ管の表面から光透過シートと光反射シートの剥離するおそれがなく、耐用性に優れる。
【００２５】
請求項４の構成を採用するならば、伸縮ＦＲＰ管の先端部に締結されたキャップナットを石突として、合図灯を杖代りに使用できるほか、そのキャップナットを取りはずし露出したガラスクラッシャーにより、車両の窓ガラスを意図的に破壊して、室内に閉じ込められた人の救助を行なえる効果もある。
【００２６】
更に、請求項５の構成を採用するならば、携帯電灯ユニットに内蔵された白色ＬＥＤを光源として、その集光型反射鏡や伸縮ＦＲＰ管の先端部に内蔵された光反射板とも相俟ち、合図灯の全体を夜間でも明るく発光させることができ、故障し難い耐用的な合図灯を得られる効果がある。
【発明を実施するための最良の形態】
【００２７】
以下、図面に基いて本発明の具体的構成を詳述すると、図１〜４はその本発明に係る伸縮式合図灯の伸長状態と短縮状態を示しており、（Ａ）は比較的太い一定長さ（Ｌ１）（例えば約５７５mm）の固定ＦＲＰ管、（Ｂ）はその固定ＦＲＰ管（Ａ）の内部へ先端側から差し込み嵌合された比較的細い伸縮ＦＲＰ管であって、上記固定ＦＲＰ管（Ａ）よりも若干短かい一定長さ（Ｌ２）（例えば約４５０mm）を備えているが、その伸長状態の全体長さとしては長くとも約１２００mmが好ましい。全体の重量は約３５０〜４００ｇに設定することが望ましい。
【００２８】
このような伸縮ＦＲＰ管（Ｂ）と固定ＦＲＰ管（Ａ）とは各々ガラス繊維シートやアラミド繊維シート、その他の光透過性のＦＲＰシートに、予じめ熱硬化性のエポキシ樹脂が含浸されたプリプレグを素材として、そのＦＲＰシートプリプレグの加熱硬化により、互いに嵌合し得る断面円形の積層状態に製管された中空の１本物であり、光透過性を発揮する。
【００２９】
しかも、その嵌合状態にある伸縮ＦＲＰ管（Ｂ）の根元部と固定ＦＲＰ管（Ａ）の先端部とは、互いに離脱しないストッパー（１ａ）（１ｂ）として、部分的な厚肉の積層状態に増強されている。（２ａ）（２ｂ）はその厚肉なストッパー（１ａ）（１ｂ）同士の係止段部、（３）はその伸縮ＦＲＰ管（Ｂ）の厚肉な根元部に切り込まれた向かい合う一対の割り溝であり、口径の拡縮作用を果す。
【００３０】
又、図６、７の製造工程に示す如く、上記伸縮ＦＲＰ管（Ｂ）を形作るＦＲＰシートプリプレグ（４ｂ）の最外層には、赤色の光透過シート（５ｂ）と白色の光反射シート（６ｂ）とが交互する配列状態として、１プライ分づつ巻き付け一体化されている一方、上記固定ＦＲＰ管（Ａ）を形作るＦＲＰシートプリプレグ（４ａ）の最外層にも、同じく赤色の光透過シート（５ａ）と白色の光反射シート（６ａ）とがやはり交互する配列状態として、１プライ分づつ巻き付け一体化されている。（ｘ）はその巻き付け端縁同士のオーバーラップ部、（Ｍ）はマンドレル（金型）である。
【００３１】
つまり、上記ＦＲＰ管（Ａ）（Ｂ）の製造工程において、そのＦＲＰシートプリプレグ（４ａ）（４ｂ）の外周面を被覆する状態の交互に巻き付けられた光透過シート（５ａ）（５ｂ）と光反射シート（６ａ）（６ｂ）が、上記ＦＲＰシートプリプレグ（４ａ）（４ｂ）に予じめ含浸されているエポキシ樹脂の加熱軟化により、その流動液を介してＦＲＰシートプリプレグと混然一体に融着し、その状態のもとで完全に硬化することとなる結果、上記光透過シート（５ａ）（５ｂ）と光反射シート（６ａ）（６ｂ）がＦＲＰ管（Ａ）（Ｂ）の表面から剥離するおそれはない。
【００３２】
しかも、上記伸縮ＦＲＰ管（Ｂ）を固定ＦＲＰ管（Ａ）の内部へ押し込み短縮させた場合、図３〜５から示唆されるように、その両ＦＲＰ管（Ａ）（Ｂ）の光透過シート（５ａ）（５ｂ）同士がオーバーラップ状態として対応合致し、両ＦＲＰ管（Ａ）（Ｂ）の光反射シート（６ａ）（６ｂ）同士もオーバーラップ状態として対応合致するようになっている。（ｗ１）は光透過シート（５ａ）（５ｂ）の巻き付け帯幅、（ｗ２）は光反射シート（６ａ）（６ｂ）の巻き付け帯幅であり、例えば互いに同等の約８５〜９０mmに関係設定されている。
【００３３】
更に言えば、図例の場合固定ＦＲＰ管（Ａ）と伸縮ＦＲＰ管（Ｂ）との何れにあっても、その先端側から根元側への順序良く、白色の光反射シート（６ａ）（６ｂ）と赤色の光透過シート（５ａ）（５ｂ）とを交互に巻き付けているが、伸縮ＦＲＰ管（Ｂ）の先端部には別個な白色の光透過シート（７ｂ）を配列設置しており、その先端部の光透過シート（７ｂ）から透過する白色によって、夜間に伸長させた使用状態の全体長さを、容易に正しく視認できるようになっている。
【００３４】
他方、固定ＦＲＰ管（Ａ）の根元部には操作手の滑り止め用となる合成樹脂製グリップカバー（９）が被着一体化されており、ここを握り持ち使用するようになっているが、上記赤色の光透過シート（５ａ）とグリップカバー（９）との前後相互間には、やはり別個な白色の光透過シート（１０ａ）を巻き付け一体化している。
【００３５】
茲に、固定ＦＲＰ管（Ａ）側の光透過シート（１０ａ）から透過する白色によって、夜間の検問や取締まり時における運転免許証などの視認をすばやく行なえるようになっている。尚、図例では赤色の光透過シート（５ａ）（５ｂ）と白色の光反射シート（６ａ）（６ｂ）とを交互に配列設置しているが、これとの言わば反対に、光透過シート（５ａ）（５ｂ）を白色とし、光反射シート（６ａ）（６ｂ）を赤色として組み合わせても良い。
【００３６】
上記固定ＦＲＰ管（Ａ）のグリップカバー（９）と対応位置する内部には、その根元側から携帯電灯ユニット（Ｕ）が防水施蓋状態に差し込み装填されている。図例の場合、携帯電灯ユニット（Ｕ）は硬質な合成樹脂製のプラグ（１１）を介して、固定ＦＲＰ管（Ａ）の内周面へ螺合締結されており、その固定ＦＲＰ管（Ａ）から抜き出し交換することもできるようになっている。
【００３７】
携帯電灯ユニット（Ｕ）は図８から明白なように、光源となる白色発光ダイオード（ＬＥＤ）（１２）やその集光型反射鏡（１３）、２本の単三乾電池（１４）、電源操作スイッチ（１５）を具備しており、図９のような固定ＦＲＰ管（Ａ）の根元部から露出する携帯電灯ユニット（Ｕ）の電源操作スイッチ（１５）を押せば、白色ＬＥＤ（１２）が点灯又は消灯するようになっている。
【００３８】
他方、伸縮ＦＲＰ管（Ｂ）の先端部には図１０〜１２のような硬質合成樹脂製のプラグ（１６）が螺合締結されており、これによる防水施蓋状態にあるが、そのプラグ（１６）の中心部からはネジ口筒（１７）が前向き一体に突設されている。（１８）は同じくプラグ（１６）の後端面に貼り付け一体化された光反射板であり、上記白色ＬＥＤ（１２）からの光を明るく反射する。（１９）はガラスクラッシャーであって、錐頭付きのネジ軸から成り、上記プラグ（１６）のネジ口筒（１７）へ着脱・交換自在に螺合締結されている。（１９ａ）はガラスクラッシャー（１９）の回動操作工具用係止フラット面である。
【００３９】
（２０）は同じくプラグ（１６）のネジ口筒（１７）へ着脱・交換自在に螺合締結された硬質な合成樹脂製のキャップナットであって、上記ガラスクラッシャー（１９）を被覆化粧しており、その状態では石突として機能するため、合図灯を杖のように接地して使うこともできる。
【００４０】
このような石突となるキャップナット（２０）を取りはずし、その露出したガラスクラッシャー（１９）の錐頭により、車両の窓ガラスを破壊して、事故車両の室内に閉じ込められた人を助け出すことができるのである。
【００４１】
更に、（２１）は上記伸縮ＦＲＰ管（Ｂ）における根元部付近の円周面に切り抜かれた爪出没口であり、その爪出没口（２１）から常時進出する弾圧付勢状態の伸縮限度位置決め用ロック爪（２２）を備えた断面ほぼＣ字形の合成樹脂製止め輪（２３）が、上記伸縮ＦＲＰ管（Ｂ）に内蔵設置されている。その止め輪（２３）の円周面から外向きに隆起したロック爪（２２）が、爪出没口（２１）から常時進出する弾圧付勢状態に保たれているのである。
【００４２】
しかも、上記伸縮ＦＲＰ管（Ｂ）の爪出没口（２１）は円周方向に沿って延在する楕円形をなし、ここから進出している上記ロック爪（２２）の表面はカム面として、時計方向又は反時計方向の何れか一方向（Ｒ）には回動できるが、残る他方に向かっては回動できないようになっている。
【００４３】
そして、このような伸縮限度位置決め用ロック爪（２２）を備えた伸縮ＦＲＰ管（Ｂ）との関係上、これと嵌合している固定ＦＲＰ管（Ａ）の先端部付近と根元部付近には、上記伸縮ＦＲＰ管（Ｂ）の爪出没口（２１）と択一的に合致連通する前後一対の爪受け入れ口（２４）（２５）が、やはり楕円形として切り抜き分布されている。
【００４４】
つまり、伸縮ＦＲＰ管（Ｂ）を固定ＦＲＰ管（Ａ）から引き出し伸長させた時には、図１、２や図１３、１４のように伸縮ＦＲＰ管（Ｂ）の爪出没口（２１）が固定ＦＲＰ管（Ａ）の前側爪受け入れ口（２４）と合致連通して、その伸縮限度位置決め用ロック爪（２２）が上記爪出没口（２１）から、固定ＦＲＰ管（Ａ）の前側爪受け入れ口（２４）へ係止することになるため、その伸縮ＦＲＰ管（Ｂ）の伸長限度を安定良く位置決めロックすることができる。
【００４５】
そして、その図１３、１４に示す伸長位置決めロック状態から、伸縮ＦＲＰ管（Ｂ）を固定ＦＲＰ管（Ａ）との相対的に、同図の時計方向（矢印Ｒ参照）へ回動操作すれば、そのロック爪（２２）が固定ＦＲＰ管（Ａ）の前側爪受け入れ口（２４）から図１５、１６のように、伸縮ＦＲＰ管（Ｂ）の爪出没口（２１）へ没入するため、その伸縮ＦＲＰ管（Ｂ）を固定ＦＲＰ管（Ａ）の内部へ押し込み短縮させることができる。
【００４６】
その短縮させた時には、伸縮ＦＲＰ管（Ｂ）の爪出没口（２１）が図３、４や図１５、１６のように、固定ＦＲＰ管（Ａ）の後側爪受け入れ口（２５）と合致連通して、その伸縮限度位置決め用ロック爪（２２）が上記爪出没口（２１）から、固定ＦＲＰ管（Ａ）の後側爪受け入れ口（２５）へ係止することになるため、その伸縮ＦＲＰ管（Ｂ）の短縮限度をやはり安定裡に位置決めロックできるのである。
【００４７】
このような短縮位置決めロック状態から逆に、伸縮ＦＲＰ管（Ｂ）を伸長させることもできることは、言うまでもない。又、伸縮ＦＲＰ管（Ｂ）を固定ＦＲＰ管（Ａ）の内部へ押し込み短縮させた位置決めロック状態において、上記光反射シート（６ａ）（６ｂ）同士や光透過シート（５ａ）（５ｂ）同士が、互いに対応合致したオーバーラップ状態に保たれるのである。
【００４８】
尚、図例では上記したとおり、伸縮ＦＲＰ管（Ｂ）を固定ＦＲＰ管（Ａ）との相対的に一方向（Ｒ）へ回動操作した時、初めてロック爪（２２）による位置決めロック状態を解除できるようになっているが、その回動操作に代わるロック爪（２２）の押し込み操作を加えて、同様な位置決めロック状態の解除を行なえるように構成してもさしつかえない。
【００４９】
又、図例の場合伸縮ＦＲＰ管（Ｂ）の伸縮限度位置決め用ロック爪（２２）とその伸縮ＦＲＰ管（Ｂ）に開口する爪出没口（２１）や、固定ＦＲＰ管（Ａ）に開口する前後一対の爪受け入れ口（２４）（２５）を、悉く１個づつとして対応的に形成しているが、図１３、１５と対応する図１７、１８の変形実施形態に示す如く、これらを放射対称型に分布する複数個づつとして設置しても良い。
【００５０】
本発明の合図灯は伸縮式として、その細い伸縮ＦＲＰ管（Ｂ）を太い固定ＦＲＰ管（Ａ）から引き出した伸長状態と、同じく伸縮ＦＲＰ管（Ｂ）を固定ＦＲＰ管（Ａ）の内部へ押し込んだ短縮状態との使い分けが可能であり、その何れあっても光透過シート（５ａ）（５ｂ）から発光・透過している赤色又は白色と、これと交互する配列の光反射シート（６ａ）（６ｂ）が、車両からの光を受けて浮き出し反射する白色又は赤色との異なる２色によって、夜間での視認性を著しく向上でき、警察官による車両の検問や交通整理を初め、作業現場の警備員による車両の誘導などを便利良く行なえる効果がある。
【００５１】
しかも、上記固定ＦＲＰ管（Ａ）に対する伸縮ＦＲＰ管（Ｂ）の伸長状態と短縮状態は、その何れも位置決め用ロック爪（２２）によってロックされるようになっているため、使用中の不慮に伸縮してしまうおそがない。その結果、長時間立ち続ける時に接地する休息用の杖や、犯人と格闘する時の警棒などとして、安全に使用することもできる。このことには、ＦＲＰ管（Ａ）（Ｂ）が衝撃に強く軽量であることも、有機的に働くと言える。
【００５２】
上記した互いに異なる２色の光透過シート（５ａ）（５ｂ）と光反射シート（６ａ）（６ｂ）のみならず、伸縮ＦＲＰ管（Ｂ）の先端部と固定ＦＲＰ管（Ａ）の根元部付近には、別個な白色の光透過シート（７ｂ）（１０ａ）も巻き付け一体化されており、携帯電灯ユニット（Ｕ）の光源をなす白色ＬＥＤ（１２）が、その光透過シート（７ｂ）（１０ａ）から明るく発光するため、夜間における車両の検問や交通整理などに必要な運転免許証の目視確認を、警察官がすばやく便利に行なえるのである。
【００５３】
又、伸縮ＦＲＰ管（Ｂ）の先端部を施蓋するプラグ（１６）には、ガラスクラッシャー（１９）が着脱・交換自在に植え付けられており、これを被覆するキャップナット（２０）は、石突として機能し得るようになっているため、その石突による上記杖としての使用や、ガラスクラッシャー（１９）による窓ガラスの意図的な破壊などを便利良く行なえ、対応性が広がる。
【００５４】
更に、固定ＦＲＰ管（Ａ）を握り持つグリップカバー（９）と対応位置する根元部には、携帯電灯ユニット（Ｕ）が螺合締結手段によって差し込み装填されており、その光源の白色ＬＥＤ（１２）から発する光を伸縮ＦＲＰ管（Ｂ）の先端部に内蔵する光反射板（１８）によって、明るく反射させるようになっているため、多数の発光ダイオード（ＬＥＤ）を並列状態として電気配線する方式に比し、乱暴な取扱いによる接触不良を生じるおそれがなく、光透過シート（５ａ）（５ｂ）と光反射シート（６ａ）（６ｂ）とが、固定ＦＲＰ管（Ａ）並びに伸縮ＦＲＰ管（Ｂ）と一体成形されていることとも相俟って、耐用性に富む合図灯を得られる効果がある。
【図面の簡単な説明】
【００５５】
【図１】本発明に係る合図灯の伸長状態を示す正面図である。
【図２】図１の２−２線半欠截断面図である。
【図３】図１と対応する合図灯の短縮状態を示す正面図である。
【図４】図３の４−４線半欠截断面図である。
【図５】固定ＦＲＰ管と伸縮ＦＲＰ管との対応位置関係を示す分解状態の正面図である。
【図６】ＦＲＰ管の製造工程を示す斜面図である。
【図７】図６の拡大縦断面図である。
【図８】固定ＦＲＰ管から携帯電灯ユニットを抜き出した分解状態の断面図である。
【図９】固定ＦＲＰ管へ携帯電灯ユニットを差し込んだ取付状態の断面図である。
【図１０】伸縮ＦＲＰ管の先端施蓋状態を示す断面図である。
【図１１】図１０からキャップナットを取りはずした状態の断面図である。
【図１２】図１０の分解状態を示す半欠截断面図である。
【図１３】図１の１３−１３線拡大断面図である。
【図１４】図１３の１４−１４線断面図である。
【図１５】図１３からロック爪を回動操作した状態の断面図である。
【図１６】図１５の１６−１６線断面図である。
【図１７】図１３に対応するロック爪の変形実施形態を示す断面図である。
【図１８】図１７からロック爪を回動操作した状態の断面図である。
【符号の説明】
【００５６】
（１ａ）（１ｂ）・ストッパー
（２ａ）（２ｂ）・係止段部
（３）・割り溝
（４ａ）（４ｂ）・ＦＲＰシートプリプレグ
（５ａ）（５ｂ）・光透過シート
（６ａ）（６ｂ）・光反射シート
（７ｂ）（１０ａ）・光透過シート
（９）・グリップカバー
（１１）・プラグ
（１２）・白色発光ダイオード（ＬＥＤ）
（１３）・集光型反射鏡
（１４）・乾電池
（１５）・電源操作スイッチ
（１６）・プラグ
（１７）・ネジ口筒
（１８）・光反射板
（１９）・ガラスクラッシャー
（１９ａ）・係止フラット面
（２０）・キャップナット
（２１）・爪出没口
（２２）・伸縮限度位置決め用ロック爪
（２３）・止め輪
（２４）・（２５）・爪受け入れ口
（Ａ）・固定ＦＲＰ管
（Ｂ）・伸縮ＦＲＰ管
（Ｍ）・マンドレル
（Ｕ）・携帯電灯ユニット
（Ｌ１）（Ｌ２）・長さ
（ｗ１）（ｗ２）・帯幅
【図１】
2010055769.tif 000003
【図２】
2010055769.tif 000004
【図３】
2010055769.tif 000005
【図４】
2010055769.tif 000006
【図５】
2010055769.tif 000007
【図６】
2010055769.tif 000008
【図７】
2010055769.tif 000009
【図８】
2010055769.tif 000010
【図９】
2010055769.tif 000011
【図１０】
2010055769.tif 000012
【図１１】
2010055769.tif 000013
【図１２】
2010055769.tif 000014
【図１３】
2010055769.tif 000015
【図１４】
2010055769.tif 000016
【図１５】
2010055769.tif 000017
【図１６】
2010055769.tif 000018
【図１７】
2010055769.tif 000019
【図１８】
2010055769.tif 000020